(57)【要約】【課題】物品の画像に基づいた物品の鑑定を迅速に行うよう支援することができること。【解決手段】撮像情報データベース２０４２は、物品の撮像方法を指示する情報である撮像情報を物品に対応付けて記憶し、撮像情報取得部１０６２は、撮像情報データベース２０４２から鑑定の対象となる物品である鑑定対象物品に対応付けられた撮像情報を取得し、鑑定物品撮像要求部１０６３は、取得された撮像情報に従って鑑定対象物品の撮像を要求し、鑑定物品画像取得部１０６４は、要求に基づいて撮像された物品画像を取得する。【選択図】        図２
2006119763.tif 000002
【特許請求の範囲】
【請求項１】
物品の画像である物品画像に基づいた前記物品の鑑定を支援する鑑定支援システムであって、
前記物品の撮像方法を指示する情報である撮像情報を前記物品に対応付けて記憶する撮像情報データベースと、
前記撮像情報データベースから鑑定の対象となる物品である鑑定対象物品に対応付けられた撮像情報を取得する撮像情報取得手段と、
前記取得された撮像情報に従った前記鑑定対象物品の撮像を要求する鑑定物品撮像要求手段と、
前記要求に基づいて撮像された前記物品画像を取得する鑑定物品画像取得手段と
を備えることを特徴とする鑑定支援システム。
【請求項２】
前記鑑定物品撮像要求手段は、前記物品の撮像を補助する画面表示に従った前記鑑定対象物品の撮像を要求することを特徴とする請求項１に記載の鑑定支援システム。
【請求項３】
前記撮像情報データベースは、前記画面表示に用いる表示用データ、前記物品の撮像個所、撮像方向、撮像距離、前記物品画像の画像サイズ、解像度のいずれか一つを少なくとも含む撮像情報を前記物品に対応付けて記憶することを特徴とする請求項１または２に記載の鑑定支援システム。
【請求項４】
前記鑑定支援システムは、
前記撮像情報データベースを備え、前記物品の撮像情報を提供する鑑定サーバ装置と、
前記物品を鑑定する鑑定者の端末装置である鑑定者端末装置と、
前記撮像情報取得手段、前記鑑定物品撮像要求手段および前記鑑定物品画像取得手段を備え、前記物品の鑑定を前記鑑定者に依頼する鑑定依頼者の端末装置である鑑定依頼者端末装置とを有することを特徴とする請求項１、２または３に記載の鑑定支援システム。
【請求項５】
前記鑑定支援システムは、
前記物品を鑑定する鑑定者の端末装置である鑑定者端末装置と、
前記撮像情報データベース、前記撮像情報取得手段、前記鑑定物品撮像要求手段および前記鑑定物品画像取得手段を備え、前記物品の鑑定を前記鑑定者に依頼する鑑定依頼者の端末装置である鑑定依頼者端末装置とを有することを特徴とする請求項１、２または３に記載の鑑定支援システム。
【請求項６】
前記鑑定者端末装置は、
前記鑑定サーバ装置に前記物品の撮像情報を送信し、前記撮像情報データベースに前記撮像情報の登録を要求する撮像情報登録要求手段をさらに備え、
前記鑑定サーバ装置は、
前記鑑定者端末装置から前記撮像情報の登録の要求を受け付けて、前記撮像情報データベースに前記撮像情報を登録する撮像情報登録手段をさらに備えることを特徴とする請求項４に記載の鑑定支援システム。
【請求項７】
前記鑑定者端末装置は、
前記鑑定依頼者端末装置に前記物品の撮像情報を送信し、前記撮像情報データベースに前記撮像情報の登録を要求する撮像情報登録要求手段をさらに備え、
前記鑑定依頼者装置は、
前記鑑定者端末装置から前記撮像情報の登録の要求を受け付けて、前記撮像情報データベースに前記撮像情報を登録する撮像情報登録手段をさらに備えることを特徴とする請求項５に記載の鑑定支援システム。
【請求項８】
物品の画像である物品画像に基づいた前記物品の鑑定を支援する鑑定支援方法であって、
前記物品の撮像方法を指示する情報である撮像情報を前記物品に対応付けて記憶する撮像情報データベースから前記鑑定の対象となる物品である鑑定対象物品に対応付けられた前記撮像情報を取得する撮像情報取得工程と、
前記取得された撮像情報に従った前記鑑定対象物品の撮像を要求する鑑定物品撮像要求工程と、
前記要求に基づいて撮像された前記物品画像を取得する鑑定物品画像取得工程と
を含むことを特徴とする鑑定支援方法。
【請求項９】
物品の画像である物品画像に基づいた前記物品の鑑定を支援する鑑定支援プログラムであって、
前記物品の撮像方法を指示する情報である撮像情報を前記物品に対応付けて記憶する撮像情報データベースから前記鑑定の対象となる物品である鑑定対象物品に対応付けられた前記撮像情報を取得する撮像情報取得手順と、
前記取得された撮像情報に従った前記鑑定対象物品の撮像を要求する鑑定物品撮像要求手順と、
前記要求に基づいて撮像された前記物品画像を取得する物品画像取得手順と
をコンピュータに実行させることを特徴とする鑑定支援プログラム。
【発明の詳細な説明】
【技術分野】
【０００１】
本発明は、物品の画像に基づいて物品の鑑定を迅速に行うよう支援することができる鑑定支援システム、鑑定支援方法および鑑定支援プログラムに関するものである。
【背景技術】
【０００２】
従来、税関を通過する物品、警察の証拠物品などに関し、物品の真贋の鑑定が必要とされていた。例えば、税関では、物品の真贋を判定するために真正の物品の画像などの見本データを紙のファイルに保管し、税関の担当者は、紙のファイルに保管した見本データと税関を通過する物品を目視で照合し、鑑定を行っていた。ところが、税関を通過する物品は、クレジットカード、商品券、有価証券、車検証、公的証明書、ブランド品、知的財産物など多種多様であり、また照合する見本データも膨大になったので、税関の担当者は、物品の鑑定を迅速に行うことは困難であった。
【０００３】
また、疑義のある物品の鑑定については、税関の担当者が鑑定することは難しいので、専門の鑑定者が税関に出張して鑑定を行っていた。従って、鑑定者が税関に出張してくるまでに時間が掛かり鑑定を迅速に行うことができなかった。そこで、物品の鑑定を出来るだけ自動化し、迅速に行うように支援することができる鑑定支援システムに関する従来技術が開示されている。
【０００４】
例えば、特許文献１では、物品に付与されたＩＣタグから事業者コードを読み取って、予め記憶されている事業者コードと照合することにより、ブランド品の鑑定を行う従来技術を開示している。また、特許文献２では、物品に付与されたバーコードやＩＣタグ等を携帯端末等が読み取ってサーバへ送信し、サーバが物品の鑑定を行う従来技術を開示している。
【０００５】
【特許文献１】特開２００３−１９６３６０号公報
【特許文献２】特開２００４−２１５５８号公報
【発明の開示】
【発明が解決しようとする課題】
【０００６】
しかしながら、特許文献１および特許文献２の従来技術のように、バーコードやＩＣタグ等を全ての物品に付与することは困難であり、また物品にバーコードやＩＣタグ等を付与するとコスト増になるという課題があった。従って、バーコードやIＣタグ等に頼らないで、物品の鑑定を迅速に行うよう支援する鑑定支援システムが求められていた。
【０００７】
本発明は、上述した問題点を解消するためになされたものであり、物品の画像に基づいて物品の鑑定を迅速に行うよう支援することができる鑑定支援システム、鑑定支援方法および鑑定支援プログラムを提供することを目的とする。
【課題を解決するための手段】
【０００８】
上述した課題を解決し、目的を達成するために、本発明は、物品の画像である物品画像に基づいた前記物品の鑑定を支援する鑑定支援システムであって、前記物品の撮像方法を指示する情報である撮像情報を前記物品に対応付けて記憶する撮像情報データベースと、前記撮像情報データベースから鑑定の対象となる物品である鑑定対象物品に対応付けられた撮像情報を取得する撮像情報取得手段と、前記取得された撮像情報に従った前記鑑定対象物品の撮像を要求する鑑定物品撮像要求手段と、前記要求に基づいて撮像された前記物品画像を取得する鑑定物品画像取得手段とを備えることを特徴とする。
【０００９】
また、本発明は、上記発明において、前記鑑定物品撮像要求手段は、前記物品の撮像を補助する画面表示に従った前記鑑定対象物品の撮像を要求することを特徴とする。
【００１０】
また、本発明は、上記発明において、前記撮像情報データベースは、前記画面表示に用いる表示用データ、前記物品の撮像個所、撮像方向、撮像距離、前記物品画像の画像サイズ、解像度のいずれか一つを少なくとも含む撮像情報を前記物品に対応付けて記憶することを特徴とする。
【００１１】
また、本発明は、上記発明において、前記鑑定支援システムは、前記撮像情報データベースを備え、前記物品の撮像情報を提供する鑑定サーバ装置と、前記物品を鑑定する鑑定者の端末装置である鑑定者端末装置と、前記撮像情報取得手段、前記鑑定物品撮像要求手段および前記鑑定物品画像取得手段を備え、前記物品の鑑定を前記鑑定者に依頼する鑑定依頼者の端末装置である鑑定依頼者端末装置とを有することを特徴とする。
【００１２】
また、本発明は、上記発明において、前記鑑定支援システムは、前記物品を鑑定する鑑定者の端末装置である鑑定者端末装置と、前記撮像情報データベース、前記撮像情報取得手段、前記鑑定物品撮像要求手段および前記鑑定物品画像取得手段を備え、前記物品の鑑定を前記鑑定者に依頼する鑑定依頼者の端末装置である鑑定依頼者端末装置とを有することを特徴とする。
【００１３】
また、本発明は、上記発明において、前記鑑定者端末装置は、前記鑑定サーバ装置に前記物品の撮像情報を送信し、前記撮像情報データベースに前記撮像情報の登録を要求する撮像情報登録要求手段をさらに備え、前記鑑定サーバ装置は、前記鑑定者端末装置から前記撮像情報の登録の要求を受け付けて、前記撮像情報データベースに前記撮像情報を登録する撮像情報登録手段をさらに備えることを特徴とする。
【００１４】
また、本発明は、上記発明において、前記鑑定者端末装置は、前記鑑定依頼者端末装置に前記物品の撮像情報を送信し、前記撮像情報データベースに前記撮像情報の登録を要求する撮像情報登録要求手段をさらに備え、前記鑑定依頼者装置は、前記鑑定者端末装置から前記撮像情報の登録の要求を受け付けて、前記撮像情報データベースに前記撮像情報を登録する撮像情報登録手段をさらに備えることを特徴とする。
【００１５】
また、本発明は、物品の画像である物品画像に基づいた前記物品の鑑定を支援する鑑定支援方法であって、前記物品の撮像方法を指示する情報である撮像情報を前記物品に対応付けて記憶する撮像情報データベースから前記鑑定の対象となる物品である鑑定対象物品に対応付けられた前記撮像情報を取得する撮像情報取得工程と、前記取得された撮像情報に従った前記鑑定対象物品の撮像を要求する鑑定物品撮像要求工程と、前記要求に基づいて撮像された前記物品画像を取得する鑑定物品画像取得工程とを含むことを特徴とする。
【００１６】
また、本発明は、物品の画像である物品画像に基づいた前記物品の鑑定を支援する鑑定支援プログラムであって、前記物品の撮像方法を指示する情報である撮像情報を前記物品に対応付けて記憶する撮像情報データベースから前記鑑定の対象となる物品である鑑定対象物品に対応付けられた前記撮像情報を取得する撮像情報取得手順と、前記取得された撮像情報に従った前記鑑定対象物品の撮像を要求する鑑定物品撮像要求手順と、前記要求に基づいて撮像された前記物品画像を取得する物品画像取得手順とをコンピュータに実行させることを特徴とする。
【発明の効果】
【００１７】
本発明によれば、物品の撮像方法を指示する情報である撮像情報を物品に対応付けて記憶する撮像情報データベースから鑑定の対象となる物品である鑑定対象物品に対応付けられた撮像情報を取得し、取得された撮像情報に従った鑑定対象物品の撮像を要求し、要求に基づいて撮像された物品画像を取得するよう構成したので、物品の画像に基づいた物品の鑑定を迅速に行うよう支援することができるという効果を奏する。
【００１８】
また、本発明によれば、物品の撮像を補助する画面表示に従った鑑定対象物品の撮像を要求するよう構成したので、鑑定対象物品の物品画像を漏れなく、迅速に取得できるというという効果を奏する。
【００１９】
また、本発明によれば、画面表示に用いる表示用データ、物品の撮像個所、撮像方向、撮像距離、物品画像の画像サイズ、解像度のいずれか一つを含む撮像情報を物品に対応付けて記憶するよう構成したので、鑑定者の鑑定ノウハウを公開せずに迅速に鑑定対象物品の物品画像を取得できるという効果を奏する。
【００２０】
また、本発明によれば、鑑定支援システムは、物品の撮像方法を指示する情報である撮像情報を物品に対応付けて記憶し、物品の撮像情報を提供する鑑定サーバ装置と、物品を鑑定する鑑定者の端末装置である鑑定者端末装置と、物品に対応付けて記憶された撮像情報から鑑定の対象となる物品である鑑定対象物品に対応付けられた撮像情報を取得し、取得された撮像情報に従った鑑定対象物品の撮像を要求し、要求に基づいて撮像された物品画像を取得し、物品の鑑定を鑑定者に依頼する鑑定依頼者の端末装置である鑑定依頼者端末装置とを有するよう構成したので、物品の画像に基づいた物品の鑑定を迅速に行うよう支援することができるという効果を奏する。
【００２１】
また、本発明によれば、鑑定支援システムは、物品を鑑定する鑑定者の端末装置である鑑定者端末装置と、物品の撮像方法を指示する情報である撮像情報を物品に対応付けて記憶し、物品に対応付けて記憶された撮像情報から鑑定の対象となる物品である鑑定対象物品に対応付けられた撮像情報を取得し、取得された撮像情報に従った鑑定対象物品の撮像を要求し、要求に基づいて撮像された物品画像を取得し、物品の鑑定を鑑定者に依頼する鑑定依頼者の端末装置である鑑定依頼者端末装置とを有するよう構成したので、物品の画像に基づいた物品の鑑定を迅速に行うよう支援することができるという効果を奏する。
【００２２】
また、本発明によれば、鑑定者端末装置は、鑑定サーバ装置に物品の撮像情報を送信し、撮像情報データベースに撮像情報の登録を要求し、鑑定サーバ装置は、鑑定者端末装置から撮像情報の登録の要求を受け付けて、撮像情報データベースに撮像情報を登録するよう構成したので、鑑定者が鑑定上のノウハウを公開しないで、自由に撮像情報を登録することができるという効果を奏する。
【００２３】
また、本発明によれば、鑑定者端末装置は、鑑定依頼者端末装置に物品の撮像情報を送信し、撮像情報データベースに撮像情報の登録を要求し、鑑定依頼者装置は、鑑定者端末装置から撮像情報の登録の要求を受け付けて、撮像情報データベースに撮像情報を登録するよう構成したので、鑑定者が鑑定上のノウハウを公開しないで、自由に撮像情報を登録することができるという効果を奏する。
【発明を実施するための最良の形態】
【００２４】
以下に、本発明に係る鑑定支援システムの実施例１および２を図面に基づいて詳細に説明する。なお、これらの実施例では、税関を通過する物品の鑑定を支援する鑑定支援システムについて説明する。
（１）実施例１では、税関端末装置と鑑定サーバ装置と鑑定者端末装置とからなる鑑定支援システムについて説明する。
（２）実施例２では、税関端末装置と鑑定者端末装置からなる鑑定支援システムについて説明する。
なお、これらの実施例により本発明が限定されるものではない。
【実施例１】
【００２５】
本実施例１では、税関端末装置と鑑定サーバ装置と鑑定者端末装置とからなる鑑定支援システムについて説明する。ここでは、（１−１）鑑定支援システムの概要と主要な特徴、（１−２）鑑定支援システムの構成、（１−３）画像入力装置の具体例、（１−４）撮像情報の表示の具体例、（１−５）鑑定支援システムの鑑定支援手順および物品画像取得手順の順番に説明する。
【００２６】
（１−１）鑑定支援システムの概要と主要な特徴
まず、図１を参照して、実施例１に係る鑑定支援システム１の概要について説明する。図１は、実施例１に係る鑑定支援システム１の概要を説明する説明図である。同図に示すように、実施例１に係る鑑定支援システム１は、物品の鑑定を鑑定者に依頼する税関の端末装置である税関端末装置１０、物品の撮像方法を指示する情報である撮像情報を提供する鑑定サーバ装置２０、物品の鑑定をする鑑定者の端末装置である鑑定者端末装置３０を有し、物品の画像である物品画像に基づいて物品の鑑定を迅速に行うよう支援することができることを特徴とする。
【００２７】
また、図１に示すように、鑑定サーバ装置２０の撮像情報データベース２０４２には、撮像情報が物品に対応付けて予め鑑定者によって登録されている。なお、撮像情報とは、物品の撮像を補助する画面表示、物品の撮像個所、撮像方向、撮像距離、物品画像の画像サイズ、解像度のいずれか一つを少なくとも含む情報である。
【００２８】
まず、（１）税関端末装置１０は、税関の担当者から物品の鑑定要求を受け付けると、受け付けた物品の鑑定要求に基づいて鑑定サーバ装置２０の撮像情報データベース２０４２から鑑定の対象となる物品である鑑定対象物品に対応付けられた撮像情報を要求し、（２）要求した撮像情報を取得する。さらに、（３）税関端末装置１０は、取得された撮像情報に従って鑑定対象物品の撮像を画像入力装置１２に要求し、（４）要求に基づいて撮像された物品画像を取得する。そして、（５）税関端末装置１０は、取得された物品画像を鑑定者端末装置３０に送信する。
【００２９】
さらに、鑑定者端末装置３０は、税関端末装置１０から送信された物品画像を受信するすると、受信した物品画像に基づいて鑑定者が鑑定を行い、鑑定書を作成するのを支援する。例えば、鑑定書のフォーマットを提供するなどの文書作成を支援する。そして、鑑定者端末装置３０は、作成された鑑定書を税関端末装置１０に送信する。なお、鑑定者とは、鑑定業者または物品の製造／販売者等である。最後に、（６）税関端末装置１０は、鑑定者端末装置３０から鑑定結果を受信する。したがって、鑑定システム１は、予め鑑定者によって登録され、物品に対応付けられた鑑定情報に基づいて物品画像を漏れなく、迅速に取得できるので、物品の画像に基づいて物品の鑑定を迅速に行うよう支援することができる。
【００３０】
（１−２）鑑定支援システムの構成
次に、図２を参照して、実施例１に係る鑑定支援システム１の構成について説明する。
図２は、実施例１に係る鑑定支援システム１の構成を示す機能ブロック図である。同図に示すように、鑑定支援システム１は、税関を通過する物品の鑑定を支援するシステムであり、税関端末装置１０、画像入力装置１２、３２、画像出力装置１３、３４、鑑定サーバ装置２０、鑑定者端末装置３０、ならびに、税関端末装置１０、鑑定サーバ装置２０および鑑定者端末装置３０を接続するネットワーク４０を有する。
【００３１】
税関端末装置１０は、物品の鑑定を依頼する、税関に設置された端末装置であり、その構成については別途詳細に説明する。また、画像入力装置１２、３２は、物品を撮像、または走査して、税関端末装置１０または鑑定者端末装置３０に物品の画像を入力する入力装置であり、別途詳細に説明する。また、画像出力装置１３、３４は、税関端末装置１０または鑑定者端末装置３０から画像データを出力する装置であり、プリンタなどである。
【００３２】
鑑定サーバ装置２０は、物品の撮像方法を指示する情報である撮像情報を提供するサーバ装置であり、その構成については別途詳細に説明する。また、鑑定者端末装置３０は、物品の鑑定をする鑑定者の端末装置であり、その構成については別途詳細に説明する。また、ネットワーク４０は、インターネット、ＬＡＮ、専用回線などのネットワークであり、少なくとも物品の画像である物品画像を送信できる。
【００３３】
続いて、税関端末装置１０の構成について詳細に説明する。税関端末装置１０は、入力部１０１、表示部１０２、ＩＦ部１０３、１０４、記憶部１０５、制御部１０６を有する。入力部１０１は、税関の担当者の要求や指示などを入力する入力装置であり、キーボードやマウスなどである。また、表示部１０２は、物品の画像である物品画像などを画像表示する表示装置であり、ＬＣＤ（Ｌｉｑｕｉｄ  Ｃｒｙｓｔａｌ  Ｄｉｓｐｌａｙ）などである。
【００３４】
ＩＦ部１０３は、ネットワーク４０を介して鑑定サーバ装置２０または鑑定者端末装置３０と通信を行う通信インタフェース部であり、ＮＩＣ（Ｎｅｔｗｏｒｋ  Ｉｎｔｅｒｆａｃｅ  Ｃａｒｄ）などである。また、ＩＦ部１０４は、税関端末装置１０と画像入力装置１２および画像出力装置１３との間のデータの入出力に関する入出力インタフェース部である。
【００３５】
記憶部１０５は、ＨＤＤ（Ｈａｒｄ  Ｄｉｓｋ  Ｄｒｉｖｅ）などの記憶装置であり、認証コード記憶部１０５１、鑑定物品画像記憶部１０５２、鑑定結果記憶部１０５３を有する。認証コード記憶部１０５１は、鑑定サーバ装置２０から撮像情報を取得する場合の税関端末装置１０の認証コードを記憶する記憶部である。
【００３６】
また、鑑定物品画像記憶部１０５２は、物品の画像である物品画像を記憶する記憶部である。また、鑑定結果記憶部１０５３は、鑑定者が物品を鑑定した結果である鑑定結果を記憶する記憶部であり、例えば、鑑定書などを記憶する。
【００３７】
制御部１０６は、税関端末装置１０の全体を制御する制御部であり、鑑定要求受付部１０６１、撮像情報取得部１０６２、鑑定物品撮像要求部１０６３、鑑定物品画像取得部１０６４、鑑定物品画像送信部１０６５、鑑定結果受信部１０６６を有する。鑑定要求受付部１０６１は、税関の担当者から物品の鑑定要求を受け付ける受付部である。また、撮像情報取得部１０６２は、受け付けられた鑑定要求に基づいた鑑定の対象となる物品である鑑定対象物品に対応付けられた撮像情報を鑑定サーバ装置２０に要求し、鑑定サーバ装置２０から撮像情報を取得する取得部である。
【００３８】
鑑定物品撮像要求部１０６３は、取得された撮像情報に従った鑑定対象物品の撮像を要求する要求部である。また、鑑定物品画像取得部１０６４は、要求に基づいて撮像された物品画像を取得する取得部である。また、鑑定物品画像送信部１０６５は、取得された物品画像を鑑定者端末装置３０に送信する送信部である。また、鑑定結果受信部１０６６は、送信された物品画像に基づいて鑑定者が鑑定した結果である鑑定結果、例えば、鑑定書を鑑定者端末装置３０から受信する受信部である。
【００３９】
続いて、鑑定サーバ装置２０の構成について詳細に説明する。鑑定サーバ装置２０は、ＩＦ部２０３、記憶部２０４、制御部２０５を有する。ＩＦ部２０３は、ネットワーク４０を介して税関端末装置１０または鑑定者端末装置３０と通信を行う通信インタフェース部であり、ＮＩＣなどである。
【００４０】
記憶部２０４は、ＨＤＤなどの記憶装置であり、鑑定依頼者データベース２０４１、撮像情報データベース２０４２を有する。鑑定依頼者データベース２０４１は、鑑定依頼者の識別情報と認証コードを対応付けて記憶するデータベースである。また、撮像情報データベース２０４２は、物品の撮像方法を指示する情報である撮像情報を物品に対応付けて記憶するデータベースであり、具体的には、物品の撮像を補助する画面表示、物品の撮像個所、撮像方向、撮像距離、物品画像の画像サイズ、解像度のいずれか一つを少なくとも含む撮像情報を物品に対応付けて記憶する。
【００４１】
ここで、図３を参照して、図２に示す鑑定サーバ装置２０の撮像情報データベース２０４２の一例について説明する。図３は、図２に示す鑑定サーバ装置２０の撮像情報データベース２０４２の一例を示す図である。
【００４２】
同図に示すように、ＧＬＯＲＹ−バック−Ａ１０１の撮像を補助する参照画像、画像解像度Ａ、Ｂ、撮像距離Ｆ１〜Ｆ５、撮像補助具であるアダプタＡ、Ｂ、Ｃの使用の指示などの撮像情報を物品に対応付けて記憶したデータベースである。また、参照画像からは、物品の撮像個所、撮像方向、物品画像の大きさなどの情報が読み取れる。なお、撮像情報については、別途、詳細に説明する。
【００４３】
このように、撮像情報データベース２０４２は、参照画像、物品の撮像個所、撮像方向、撮像距離、物品画像の画像サイズ、解像度のいずれか一つを少なくとも含む撮像情報を物品に対応付けて記憶することとしたので、鑑定者の鑑定ノウハウを公開せずに迅速に鑑定対象物品の物品画像を取得できる。
【００４４】
図２の説明に戻ると、制御部２０５は、鑑定サーバ装置２０の全体を制御する制御部であり、撮像情報取得受付部２０５１、撮像情報送信部２０５２、撮像情報登録部２０５３を有する。撮像情報取得受付部２０５１は、税関端末装置１０から撮像情報の取得要求を受け付ける受付部であり、鑑定依頼者認証部２０５１ａ、撮像情報検索部２０５１ｂを有する。
【００４５】
鑑定依頼者認証部２０５１ａは、撮像情報を取得要求する鑑定依頼者の認証を行う認証部であり、鑑定依頼者の認証コードと鑑定依頼者データベース２０４１に記憶された認証コードを照合して認証を行う。また、撮像情報検索部２０５１ｂは、受け付けられた撮像情報の取得要求に基づいて撮像情報データベース２０４２から撮像情報を検索する検索部である。また、撮像情報送信部２０５２は、検索された撮像情報を税関端末装置１０に送信する送信部である。
【００４６】
撮像情報登録部２０５３は、鑑定者端末装置３０から撮像情報の登録の要求を受け付けて、撮像情報を撮像情報データベース２０４２に記憶させる。または、撮像情報データベース２０４２を最新の撮像情報で更新する。
【００４７】
このように、鑑定サーバ装置２０は、鑑定者端末装置３０から撮像情報の登録の要求を受け付けて、撮像情報データベース２０４２に撮像情報を登録することとしたので、鑑定者が鑑定上のノウハウを公開しないで、自由に撮像情報を登録することができる。
【００４８】
続いて、鑑定者端末装置３０の構成について詳細に説明する。鑑定者端末装置３０は、入力部３０１、表示部３０２、ＩＦ部３０３、３０４、記憶部３０５、制御部３０６を有する。入力部３０１は、鑑定者の要求や指示などを入力する入力装置であり、キーボードやマウスなどである。また、表示部３０２は、物品画像などを画像表示する表示装置であり、ＬＣＤなどである。
【００４９】
ＩＦ部３０３は、ネットワーク４０を介して税関端末装置１０または鑑定サーバ装置２０と通信を行う通信インタフェース部であり、ＮＩＣなどである。また、ＩＦ部３０４は、鑑定者端末装置３０と画像入力装置３２および画像出力装置３４との間のデータの入出力に関する入出力インタフェース部である。
【００５０】
記憶部３０５は、ＨＤＤなどの記憶装置であり、撮像情報記憶部３０５１、鑑定物品画像記憶部３０５２を有する。撮像情報記憶部３０５１は、物品の撮像方法を指示する情報である撮像情報を記憶する記憶部である。また、鑑定物品画像記憶部３０５２は、物品の画像である物品画像を記憶する記憶部である。
【００５１】
制御部３０６は、鑑定者端末装置３０の全体を制御する制御部であり、撮像情報登録要求部３０６１、鑑定物品画像受信部３０６２、鑑定書作成支援部３０６３、鑑定結果送信部３０６４を有する。撮像情報登録要求部３０６１は、鑑定サーバ装置２０に物品の撮像情報を送信し、撮像情報データベース２０４２に撮像情報の登録を要求する要求部である。
【００５２】
このように、鑑定者端末装置３０は、鑑定サーバ装置２０に物品の撮像情報を送信し、撮像情報データベース２０４２に撮像情報の登録を要求することとしたので、鑑定者が鑑定上のノウハウを公開しないで、自由に撮像情報を登録することができる。
【００５３】
鑑定物品画像受信部３０６２は、税関端末装置１０から送信された物品画像を受信する受信部である。また、鑑定書作成支援部３０６３は、物品画像に基づいて鑑定者が鑑定した結果を鑑定結果としてまとめて、鑑定書を作成する作業を支援する支援部である。例えば、鑑定書のフォーマットを提供するなどの文書作成を支援する。また、鑑定結果送信部３０６４は、鑑定結果を税関端末装置１０に送信する送信部である。
【００５４】
（１−３）画像入力装置の具体例
次に、図４を参照して、図２に示す画像入力装置１２の一例について説明する。図４は、図２に示す画像入力装置１２の一例を示す図である。同図に示すように、３次元スキャナや二次元スキャナが画像入力装置１２として税関端末装置１０に接続されている。
【００５５】
三次元スキャナは、三次元構造を有する物品の撮像及び寸法取得を同時に行い、税関端末装置１０に入力する装置である。また、三次元スキャナは、透明なガラスまたはガラスエポキシのターンテーブル上に置かれた物品、例えば、バッグを回転させて、上方、斜め上方、側方、下方からバッグを撮影し、同時に、撮影した画像からバッグの外形寸法を測定することができる。したがって、鑑定物品画像取得部１０６４は、三次元スキャナからバッグの画像を入力し、表示部１０２に表示し、鑑定物品画像記憶部１０５２に記憶させることができる。
【００５６】
二次元スキャナは、二次元の物品の画像を撮像し、税関端末装置１０に入力する装置であり、例えば、書類の真贋または書類に書かれた文字の筆跡を鑑定する場合に、書類の画像を走査し、税関端末装置１０に入力する。したがって、鑑定物品画像取得部１０６４は、二次元スキャナから書類の画像を入力し、表示部１０２に表示し、鑑定物品画像記憶部１０５２に記憶させることができる。
【００５７】
また、図４には図示していないが、カメラを税関端末装置１０に単独で接続し、撮像した物品画像を税関端末装置１０に入力することもできる。また、図４に示すように、カメラを税関端末装置１０から切り離し、撮像した物品画像のデータを記録したメモリを介して税関端末装置１０に入力することもできる。
【００５８】
（１−４）撮像情報の表示の具体例
次に、図５および図６を参照して、図２の税関端末装置１０の表示部１０２における撮像情報の表示の具体例について説明する。図５は、図２の税関端末装置１０の表示部１０２に表示された撮像情報の表示の一例を示す図である。また、図６は、図２の税関端末装置１０の表示部１０２に表示された撮像情報の表示の別の例を示す図である。
【００５９】
税関端末装置１０は、鑑定サーバ装置２０に撮像情報を要求し、鑑定サーバ装置２０から撮像情報を取得する。具体的には、まず、図５に示すように鑑定者名と物品の品名と物品の外観写真を対応付けた撮像情報データベースのウェブ画面が税関端末装置１０の表示部１０２に表示される。そして、鑑定者名がクリックされると、鑑定者のアドレス情報が表示される。また、物品の外観写真がクリックされると、図６に示すように、物品の参照画像と共に物品の撮影方法を指示する情報である撮像情報が税関端末装置１０の表示部１０２に表示される。
【００６０】
また、図６をさらに詳細に説明すると、図６の左半分には、参照画像が内面写真、内面部分写真、金具写真、商標マーク写真の順番に表示されている。それに対して、右半分には鑑定対象物の写真のフレームが表示されている。鑑定物品画像取得部１０６４は、このフレームに画像入力装置１２から取得した鑑定対象物品の物品画像を表示する。
【００６１】
そして、図６の下部にある確認ボタンが押されると、鑑定物品画像取得部１０６４は、鑑定対象物品の画像と参照物品の画像を比較してサイズ、解像度、ピントのそれぞれが適切であるか否かをＯＫ／ＮＧで表示する。例えば、鑑定物品画像取得部１０６４は、鑑定対象物品の画像のピントが合っていない場合は、ピントとＮＧを点灯させて、鑑定対象物品の画像のピントが合っていないことを表示する。また、これとともに、“サイズが違います。最大と最小値の目安にあわせて下さい”、“解像度が違っています”、“焦点のピントが合っていません”などの警告を表示する。また、鑑定物品画像取得部１０６４は、サイズ、解像度、ピントが全て適切である場合は、ＯＫを点灯する。
【００６２】
次に、図７を参照して、図４に示すカメラに表示される参照画像の一例について説明する。図７は、図４に示すカメラに表示される参照画像の一例を示す図である。図７に示すように、鑑定物品画像取得部１０６４は、カメラで物品の物品画像を撮影する場合は、鑑定サーバ装置２０から取得した撮像情報から参照画像を抽出して、抽出した参照画像をカメラに送信する。そして、カメラは、送信された参照画像をカメラのモニタに表示して、物品の画像を透過重ね合わせして、画像を撮影する。また、カメラは、図７に示すように正面写真―＞背面写真―＞上面写真―＞底面写真のように参照画像の表示を切替えることができる。
【００６３】
このように、鑑定物品画像取得部１０６４は、物品の撮像を補助する参照画像に従った鑑定対象物品の撮像を画像入力装置１２に要求することとしたので、鑑定対象物品の物品画像を漏れなく、迅速に取得できる。
【００６４】
（１−５）鑑定支援システムの鑑定支援手順および物品画像取得手順
次に、図８を参照して、図２に示す鑑定支援システム１の鑑定支援手順について説明する。図８は、図２に示す鑑定支援システム１の鑑定支援手順を示すフローチャートである。同図に示すように、税関端末装置１０の鑑定要求受付部１０６１は、税関の担当者から物品の鑑定要求があったか否かを確認する（ステップＳ９０１）。その結果、税関の担当者から物品の鑑定要求がなかった場合は（ステップＳ９０１否定）、鑑定要求受付部１０６１は、税関の担当者から鑑定要求があるまで待つ。
【００６５】
一方、税関の担当者から鑑定要求があった場合は（ステップＳ９０１肯定）、鑑定要求受付部１０６１は、物品の鑑定要求を受け付ける（ステップＳ９０２）。そして、撮像情報取得部１０６２は、認証コード記憶部１０５１に記憶された認証コードを送信すると共に鑑定要求受付部１０６１によって鑑定要求が受け付けられた物品の撮像情報を鑑定サーバ装置２０に要求する（ステップＳ９０３）。
【００６６】
これに対して、鑑定サーバ装置２０の撮像情報取得受付部２０５１は、税関端末装置１０から認証コードと共に撮像情報の要求を受け付けて、鑑定依頼者データベース２０４１に記憶された鑑定依頼者の認証コードと照合し（ステップＳ９０４）、鑑定依頼者認証部２０５１ａは、鑑定依頼者を認証するか否かを判定する。その結果、鑑定依頼者を認証しないと判定した場合は（ステップＳ９０５否定）、鑑定依頼者認証部２０５１ａは、本手順を終了する。
【００６７】
一方、鑑定依頼者を認証すると判定した場合は（ステップＳ９０５肯定）、撮像情報検索部２０５１ｂは、撮像情報取得受付部２０５１によって受け付けられた物品の撮像情報を撮像情報データベース２０４２から検索する（ステップＳ９０６）。そして、撮像情報送信部２０５２は、撮像情報検索部２０５１ｂによって検索された撮像情報を税関端末装置１０に送信する（ステップＳ９０７）。
【００６８】
これに対して、税関端末装置１０の鑑定物品画像取得部１０６４は、鑑定サーバ装置２０から受信した撮像情報に基づいて画像入力装置１２から物品の物品画像を取得する（ステップＳ９０８）。そして、鑑定物品画像送信部１０６５は、撮像情報に基づいて取得した物品画像を鑑定者端末装置３０に送信する（ステップＳ９０９）。
【００６９】
これに対して、鑑定者端末装置３０の鑑定物品画像受信部３０６２は、税関端末装置１０から物品画像を受信して、物品画像を表示部３０２に表示する（ステップＳ９１０）。そして、鑑定書作成支援部３０６３は、表示された物品画像に基づいて鑑定者が鑑定結果をまとめて、鑑定書を作成するのを支援する（ステップＳ９１１）。さらに、鑑定結果送信部３０６４は、鑑定者が作成した鑑定書を鑑定結果として税関端末装置１０に送信する（ステップＳ９１２）。
【００７０】
これに対して、鑑定結果受信部１０６６は、鑑定者端末装置３０から鑑定書を受信して、表示部１０２に表示すると共に（ステップＳ９１３）、鑑定結果記憶部１０５３に格納する（ステップＳ９１４）。
【００７１】
上記一連の処理によって、税関端末装置１０は、撮像情報データベース２０４２から鑑定の対象となる物品である鑑定対象物品に対応付けられた撮像情報を取得し、取得された撮像情報に従って鑑定対象物品の物品画像を取得し、取得した物品画像を鑑定者端末装置３０に送信する。これに対して、鑑定者端末装置３０は、税関端末装置１０から鑑定対象物品の物品画像を受信し、受信した物品画像に基づいて鑑定を支援し、鑑定結果を税関端末装置１０に送信することとしたので、物品の画像に基づいた物品の鑑定を迅速に行うよう支援することができる。
【００７２】
なお、本実施例１では、税関端末装置１０は、物品画像および鑑定結果を鑑定端末装置３０と直接送受信するよう説明したが、本発明はそれに限定されるものではなく、税関端末装置１０は、鑑定サーバ装置２０を介して物品画像および鑑定結果を鑑定端末装置３０と送受信する場合に適用することができる。
【００７３】
次に、図９を参照して、図８に示す物品画像取得手順、ステップＳ９０８をさらに詳細に説明する。図９は、図８に示す物品画像取得手順、ステップＳ９０８をさらに詳細に説明するフローチャートである。
【００７４】
税関端末装置１０の撮像情報取得部１０６２は、鑑定サーバ装置２０から撮像情報を取得して（ステップＳ１００１）、表示部１０２に図５、図６に示すように撮像情報を表示すると共に（ステップＳ１００２）、鑑定物品撮像要求部１０６３は、撮像情報から抽出された参照画像を画像入力装置１２、例えば、カメラに送信し、鑑定対象物品の撮像を要求する（ステップＳ１００３）。
【００７５】
これに対し、画像入力装置１２は、税関端末装置１０から受信した参照画像を図７に示すようにモニタに表示する（ステップＳ１００４）。そして、画像入力装置１２は、参照画像に従って撮影方法を設定する（ステップＳ１００５）。さらに、画像入力装置１２は、参照画像の撮影方法に基づいて物品画像を撮影する（ステップＳ１００６）。そして、画像入力装置１２は、撮影した物品画像を税関端末装置１０に送信する（ステップＳ１００７）。
【００７６】
これに対して、鑑定物品画像取得部１０６４は、画像入力装置１２から物品画像を受信して、表示部１０２に表示させると共に、鑑定物品画像記憶部１０５２に記憶させる（ステップＳ１００８）。そして、鑑定物品画像取得部１０６４は、撮像情報に基づいて物品画像の撮影が終了したか否かを判定する（ステップＳ１００９）。
【００７７】
その結果、物品画像の撮影が終了していない場合は（ステップＳ１００９否定）、鑑定物品画像取得部１０６４は、ステップＳ１００３に戻り、ステップＳ１００３〜ステップＳ１００８の手順を繰り返す。一方、物品画像の撮影が終了した場合は（ステップＳ１００９肯定）、鑑定物品画像取得部１０６４は、本手順を終了する。
【００７８】
上記一連の処理によって、鑑定支援システム１は、物品の撮像方法を指示する情報である撮像情報を物品に対応付けて記憶する撮像情報データベース２０４２から鑑定の対象となる物品である鑑定対象物品に対応付けられた撮像情報を取得し、取得された撮像情報に従った鑑定対象物品の撮像を要求し、要求された鑑定対象物品の撮像によって物品画像を取得することとしたので、物品画像を漏れなく、迅速に取得することができる。
【００７９】
なお、本実施例１では、鑑定支援システム１は、税関を通過する物品の鑑定を支援するシステムである場合について説明したが、本発明はこれに限定されるものではなく、鑑定支援システムは、その他の鑑定支援システム、例えば、ネットワークオークションに出品される物品の鑑定を支援する鑑定支援システム、警察が押収した証拠品を鑑定する鑑定支援システムなどである場合に適用することができる。
【００８０】
上述したように、本実施例１によれば、撮像情報取得部１０６２は、物品の撮像方法を指示する情報である撮像情報を物品に対応付けて記憶する撮像情報データベース２０４２から鑑定の対象となる物品である鑑定対象物品に対応付けられた撮像情報を取得し、鑑定物品撮像要求部１０６３は、取得された撮像情報に従った鑑定対象物品の撮像を要求し、鑑定物品画像取得部１０６４は、要求に基づいて撮像された物品画像を取得することとしたので、物品の画像に基づいた物品の鑑定を迅速に行うよう支援することができる。
【００８１】
また、鑑定支援システム１は、物品の撮像方法を指示する情報である撮像情報を物品に対応付けて記憶する撮像情報データベース２０４２を備え、物品の撮像情報を提供する鑑定サーバ装置２０と、物品を鑑定する鑑定者の端末装置である鑑定者端末装置３０と、撮像情報データベース２０４２から鑑定の対象となる物品である鑑定対象物品に対応付けられた撮像情報を取得する撮像情報取得部１０６２、取得された撮像情報に従った鑑定対象物品の撮像を要求する鑑定物品撮像要求部１０６３、および要求に基づいて撮像された物品画像を取得する鑑定物品画像取得部１０６４を備え、物品の鑑定を依頼する税関の端末装置である税関端末装置１０とを有することとしたので、物品の画像に基づいた物品の鑑定を迅速に行うよう支援することができる。
【実施例２】
【００８２】
ところで、上記実施例１では、税関端末装置１０と鑑定サーバ装置２０と鑑定者端末装置３０とから成る鑑定支援システム１について説明したが、本発明はそれに限定されるものではなく、税関端末装置１１と鑑定者端末装置３０から成る鑑定支援システム２について適用することができる。本実施例２では、税関端末装置１１と鑑定者端末装置３０から成る鑑定支援システム２について説明する。以下においては、（２−１）鑑定支援システムの構成、（２−２）鑑定支援システムの鑑定支援手順および物品画像取得手順の順番で説明する。なお、実施例１と共通な内容については説明を省略する。
【００８３】
（２−１）鑑定支援システムの構成
まず、図１０を参照して、実施例２に係る鑑定支援システム２の構成について説明する。図１０は、実施例２に係る鑑定支援システム２の構成を示す機能ブロック図である。同図に示すように、鑑定支援システム２は、税関を通過する物品の鑑定を支援するシステムであり、税関端末装置１１、画像入力装置１２、３２、画像出力装置１３、３４、鑑定者端末装置３０、および、税関端末装置１１および鑑定者端末装置３０を接続するネットワーク４０を有する。これらのうち、実施例１の鑑定支援システムの構成と相違するのは、税関端末装置１１であるので、ここでは、税関端末装置１１について説明する。
【００８４】
税関端末装置１１は、税関に設置された端末装置であり、入力部１１１、表示部１１２、ＩＦ部１１３、１１４、記憶部１１５、制御部１１６を有する。これらのうち、実施例１の税関端末装置１０の構成と相違するのは、記憶部１１５、制御部１１６であるので、ここでは、記憶部１１５、制御部１１６について説明する。
【００８５】
記憶部１１５は、ＨＤＤなどの記憶装置であり、撮像情報データベース１１５１、鑑定物品画像記憶部１１５２、鑑定結果記憶部１１５３を有する。記憶部１１５は、実施例１において鑑定サーバ装置２０が有していた撮像情報データベース２０４２を有している。また、撮像情報データベース１１５１、鑑定物品画像記憶部１１５２、鑑定結果記憶部１１５３は、実施例１の撮像情報データベース２０４２、鑑定物品画像記憶部１０５２、鑑定結果記憶部１０５３と同じであるので詳細な説明は省略する。
【００８６】
制御部１１６は、税関端末装置１１の全体を制御する制御部であり、鑑定要求受付部１１６１、鑑定物品撮像要求部１１６２、鑑定物品画像取得部１１６３、鑑定物品画像送信部１１６４、撮像情報登録部１１６５、鑑定結果受信部１１６６を有する。鑑定要求受付部１１６１は、税関の担当者から物品の鑑定要求を受け付ける受付部であり、撮像情報検索部１１６１ａを有する。撮像情報検索部１１６１ａは、受け付けられた物品の鑑定要求に基づいて撮像情報データベース１１５１から撮像情報を検索する検索部である。
【００８７】
鑑定物品撮像要求部１１６２は、検索された撮像情報に従った鑑定対象物品の撮像を要求する要求部である。また、鑑定物品画像取得部１１６３は、要求に基づいて撮像された物品画像を取得する取得部である。また、鑑定物品画像送信部１１６４は、撮像情報に基づいて取得された物品画像を鑑定者端末装置３０に送信する送信部である。
【００８８】
また、撮像情報登録部１１６５は、鑑定者端末装置３０から撮像情報の登録要求を受け付けて、撮像情報を撮像情報データベース１１５１に登録する登録部である。このように、税関端末装置１１は、撮像情報登録部１１６５が鑑定者端末装置３０から撮像情報の登録の要求を受け付けて、撮像情報を撮像情報データベース１１５１に登録することとしたので、鑑定者が鑑定上のノウハウを公開しないで、自由に撮像情報を登録することができる。
【００８９】
（２−２）鑑定支援システムの鑑定支援手順および物品画像取得手順
次に、図１１を参照して、図１０に示す鑑定支援システム２の鑑定支援手順について説明する。図１１は、図１０に示す鑑定支援システム２の鑑定支援手順を示すフローチャートである。図１０のフローチャートのステップＳ１２０５〜ステップＳ１２１１は、図８のフローチャートのステップＳ９０８〜ステップ９１４と同じであるので、ステップＳ１２０１〜ステップＳ１２０４について説明する。
【００９０】
同図に示すように、税関端末装置１１の鑑定要求受付部１１６１は、税関の担当者から物品の鑑定要求があったか否かを確認する（ステップＳ１２０１）。その結果、税関の担当者から物品の鑑定要求がなかった場合は（ステップＳ１２０１否定）、鑑定要求受付部１１６１は、税関の担当者から鑑定要求があるまで待つ。
【００９１】
一方、税関の担当者から鑑定要求があった場合は（ステップＳ１２０１肯定）、物品の鑑定要求を受け付ける（ステップＳ１２０２）。そして、撮像情報検索部１１６１ａは、受け付けられた物品の鑑定要求に基づいて撮像情報データベース１１５１から撮像情報を検索し（ステップＳ１２０３）、撮像情報を取得する（ステップＳ１２０４）。これ以降、ステップＳ１２０５〜ステップＳ１２１１の手順が実施される。
【００９２】
上記一連の処理によって、税関端末装置１１は、撮像情報データベース１１５１から鑑定の対象となる物品である鑑定対象物品に対応付けられた撮像情報を検索し、検索された撮像情報に従って鑑定対象物品の物品画像を取得し、取得した物品画像を鑑定者端末装置３０に送信する。これに対して、鑑定者端末装置３０は、税関端末装置１１から鑑定対象物品の物品画像を受信し、受信した物品画像に基づいて鑑定を支援し、鑑定結果を税関端末装置１１に送信することとしたので、物品の画像に基づいた物品の鑑定を迅速に行うよう支援することができる。
【００９３】
次に、図１２は、図１１に示す物品画像取得手順、ステップＳ１２０５をさらに詳細に説明するフローチャートである。なお、実施例１では、税関端末装置１０は、鑑定サーバ装置２０の撮像情報データベース２０４２から撮像情報を取得し、取得した撮像情報に基づいて物品画像取得手順を実施したが、本実施例２では、税関端末装置１０は、自ら記憶する撮像情報データベース１１５１から撮像情報を検索し、検索した撮像情報に基づいて物品画像取得手順を実施する。しかし、税関端末装置１０が検索した撮像情報に基づいて実施する物品画像取得手順、ステップＳ１３０１〜ステップＳ１３０８は、実施例１の物品画像取得手順（図９）のステップＳ１００２〜ステップＳ１００９と同じであるので、ここでは、これ以上の説明は省略する。
【００９４】
上記一連の処理によって、鑑定支援システム２は、物品の撮像方法を指示する情報である撮像情報を物品に対応付けて記憶する撮像情報データベース１１５１から鑑定の対象となる物品である鑑定対象物品に対応付けられた撮像情報を検索し、検索された撮像情報に従った鑑定対象物品の撮像を要求し、要求に基づいて撮像された物品画像を取得することとしたので、物品画像を漏れなく、迅速に取得することができる。
【００９５】
なお、本実施例２では、鑑定支援システム２は、税関を通過する物品の鑑定を支援するシステムである場合について説明したが、本発明はこれに限定されるものではなく、鑑定支援システム２は、その他の鑑定支援システム、例えば、ネットワークオークションに出品される物品の鑑定を支援する鑑定支援システム、警察が押収した証拠品を鑑定する鑑定支援システムなどである場合に適用することができる。
【００９６】
上述したように、本実施例２によれば、鑑定支援システム２は、物品を鑑定する鑑定者の端末装置である鑑定者端末装置３０と、物品の撮像方法を指示する情報である撮像情報を物品に対応付けて記憶する撮像情報データベース１１５１、撮像情報データベース１１５１から鑑定の対象となる物品である鑑定対象物品に対応付けられた撮像情報を検索する撮像情報検索部１１６１ａ、検索された撮像情報に従った鑑定対象物品の撮像を要求する鑑定物品撮像要求部１１６２、および要求に基づいて撮像された物品画像を取得する鑑定物品取得部１１６３を備え、物品の鑑定を依頼する税関の端末装置である税関端末装置１０とを有することとしたので、物品の画像に基づいた物品の鑑定を迅速に行うよう支援することができる。
【００９７】
ところで、本実施例２では、税関端末装置１０が撮像情報データベース１１５１を記憶し、税関担当が撮像情報データベース１１５１から撮像情報を検索するよう説明したが、本発明はそれに限定されるものではなく、鑑定者端末装置３０が撮像情報データベースを記憶し、税関担当者が鑑定者端末装置３０の撮像情報データベースから撮像情報を取得する場合に適用することができる。
【産業上の利用可能性】
【００９８】
以上のように、本発明にかかる鑑定支援システムは、物品の鑑定を支援する鑑定支援システムに有用であり、特に、税関、ネットワークオークション、警察などで用いられる鑑定支援システムに適している。
【図面の簡単な説明】
【００９９】
【図１】実施例１に係る鑑定支援システムの概要を説明する説明図である。
【図２】実施例１に係る鑑定支援システムの構成を示す機能ブロック図である。
【図３】図２に示す鑑定サーバ装置の撮像情報データベースの一例を示す図である。
【図４】図２に示す画像入力装置の一例を示す図である。
【図５】図２の税関端末装置の表示部に表示された撮像情報の表示の一例を示す図である。
【図６】図２の税関端末装置の表示部に表示された撮像情報の表示の別の例を示す図である。
【図７】図４に示すカメラに表示される参照画像の一例を示す図である。
【図８】図２に示す鑑定支援システムの鑑定支援手順を示すフローチャートである。
【図９】図８に示す物品画像取得手順をさらに詳細に説明するフローチャートである。
【図１０】実施例２に係る鑑定支援システムの構成を示す機能ブロック図である。
【図１１】図１０に示す鑑定支援システムの鑑定支援手順を示すフローチャートである。
【図１２】図１１に示す物品画像取得手順をさらに詳細に説明するフローチャートである。
【符号の説明】
【０１００】
１、２      鑑定支援システム
１０、１１  税関端末装置
１２、３２  画像入力装置
１３、３４  画像出力装置
２０        鑑定サーバ装置
３０        鑑定者端末装置
４０        ネットワーク
１０１      入力部
１０２      表示部
１０３      ＩＦ部
１０４      ＩＦ部
１０５      記憶部
１０５１    認証コード記憶部
１０５２    鑑定物品画像記憶部
１０５３    鑑定結果記憶部
１０６      制御部
１０６１    鑑定要求受付部
１０６２    撮像情報取得部
１０６３    鑑定物品撮像要求部
１０６４    鑑定物品画像取得部
１０６５    鑑定物品画像送信部
１０６６    鑑定結果受信部
１１１      入力部
１１２      表示部
１１３      ＩＦ部
１１４      ＩＦ部
１１５      記憶部
１１５１    撮像情報データベース
１１５２    鑑定物品画像記憶部
１１５３    鑑定結果記憶部
１１６      制御部
１１６１    鑑定要求受付部
１１６１ａ  撮像情報検索部
１１６２    鑑定物品撮像要求部
１１６３    鑑定物品画像取得部
１１６４    鑑定物品画像送信部
１１６５    撮像情報登録部
１１６６    鑑定結果受信部
２０３      ＩＦ部
２０４      記憶部
２０４１    鑑定依頼者データベース
２０４２    撮像情報データベース
２０５      制御部
２０５１    撮像情報取得受付部
２０５１ａ  鑑定依頼者認証部
２０５１ｂ  撮像情報検索部
２０５２    撮像情報送信部
２０５３    撮像情報登録部
３０１      入力部
３０２      表示部
３０３      ＩＦ部
３０４      ＩＦ部
３０５      記憶部
３０５１    撮像情報記憶部
３０５２    鑑定物品画像記憶部
３０６      制御部
３０６１    撮像情報登録要求部
３０６２    鑑定物品画像受信部
３０６３    鑑定書作成支援部
３０６４    鑑定結果送信部
【図１】
2006119763.tif 000003
【図２】
2006119763.tif 000004
【図３】
2006119763.tif 000005
【図４】
2006119763.tif 000006
【図５】
2006119763.tif 000007
【図６】
2006119763.tif 000008
【図７】
2006119763.tif 000009
【図８】
2006119763.tif 000010
【図９】
2006119763.tif 000011
【図１０】
2006119763.tif 000012
【図１１】
2006119763.tif 000013
【図１２】
2006119763.tif 000014